【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
第１のマウントを備えるアクセサリを着脱可能なマウント装置であって、
第２のマウントと、
前記第２のマウントの中心軸方向において、前記アクセサリに設けられた複数の爪部と係合が可能な複数の爪部と、
前記アクセサリに設けられた前記複数の爪部と前記マウント装置に設けられた複数の爪部の相対的な回転を規制する第１の規制手段と、
を有し、
前記複数の爪部は、前記第２のマウントの周方向に配された、第１の爪部、第２の爪部、第３の爪部を含み、前記第２のマウントの周方向における前記第１の爪部の角度範囲は、前記第２の爪部および前記第３の爪部よりも小さく、
前記第２のマウントの中心軸方向から前記第２のマウントを見て、前記第１の規制手段と前記第２のマウントの中心を通る線を第１のマウント中心線とし、前記第２のマウントの中心を通り前記第１のマウント中心線と直交する線を第２のマウント中心線とし、
前記マウント装置の正位置において、前記第２のマウントの中心軸方向から前記第２のマウントを見て、前記第１の爪部は、前記第１のマウント中心線に対して、重力方向とは反対側の第１の側に配され、重力方向が含まれる第２の側には配されておらず、前記第２の爪および前記第３の爪のうちの一方が、前記第２のマウント中心線に対して前記第１の規制手段とは反対側において、前記第１のマウント中心線上に位置することを特徴とするマウント装置。
【請求項２】
前記第２のマウントの中心軸方向から前記第２のマウントを見て、前記第１の爪部は、前記第２のマウント中心線上に位置することを特徴とする請求項１に記載のマウント装置。
【請求項３】
前記マウント装置の正位置において、前記第２のマウントの中心軸方向から前記第２のマウントを見た場合に、前記第３の爪部は、前記第１のマウント中心線に対して、第２の側に位置することを特徴する請求項１又は２に記載のマウント装置。
【請求項４】
前記第２のマウントの周方向における前記第１の爪部の角度範囲は、前記第２の爪部および前記第３の爪部の角度範囲の総和以上であることを特徴とする請求項１乃至３の何れか１項に記載のマウント装置
【請求項５】
前記マウント装置の正位置において前記第２のマウントの中心軸方向から前記第２のマウントを見た場合に、前記第２のマウントの前記周方向において、前記第１のマウント中心線に対して前記第１の側における前記マウント装置の前記複数の爪部の角度範囲の総和が、前記第１のマウント中心線に対して前記第１の側とは反対側の前記第２の側における前記マウント装置の前記複数の爪部の角度範囲の総和以上であることを特徴とする請求項４に記載のマウント装置。
【請求項６】
前記マウント装置に前記アクセサリが装着された状態で、前記第１の規制手段は、前記アクセサリに設けられた第２の規制手段と係合することで、前記アクセサリに設けられた前記複数の爪部と前記マウント装置に設けられた複数の爪部の前記第２のマウントの周方向における相対的な回転を規制し、
前記第１の規制手段が前記第２の規制手段と係合した状態で、前記第２のマウントの中心軸方向において、前記アクセサリの前記複数の爪部のうちの対応する爪部にマウント装置の前記複数の爪部のそれぞれが係合することを特徴とする請求項１乃至５の何れか１項にマウント装置。
【請求項７】
前記第１の規制手段は、前記第２のマウントの中心軸方向に移動可能なピンであることを特徴とする請求項６に記載のマウント装置。
【請求項８】
前記マウント装置は、前記第２のマウントの周方向において、前記第１の爪部と前記第２の爪部との間に、前記アクセサリに設けられた前記複数の爪部のうちの第４の爪部を挿入可能な第１の凹部と、前記第２の爪部と前記第３の爪部との間に、前記アクセサリに設けられた前記複数の爪部のうちの第５の爪部を挿入可能な第２の凹部と、前記第３の爪部と前記第１の爪部との間に、前記アクセサリに設けられた前記複数の爪部のうちの第６の爪部を挿入可能な第３の凹部と、を有し、
前記第３の凹部は、前記第２のマウントの前記周方向における角度範囲が、前記第１の凹部および前記第２の凹部の前記周方向における角度範囲以上であることを特徴とする請求項１乃至７の何れか１項に記載のマウント装置。
【請求項９】
前記第２のマウントの周方向において、前記第１の爪部の角度範囲は、前記第２の爪部および前記第３の爪部の角度範囲の１．５倍以上大きいことを特徴とする請求項１乃至８の何れか１項に記載のマウント装置。
【請求項１０】
前記第２のマウントの前記周方向における角度範囲は、前記第１の爪部が９２°、第２の爪部が４８°、第３の爪部が４０°であることを特徴とする請求項９に記載のマウント装置。
【請求項１１】
前記マウント装置は、前記マウント装置の前記複数の爪部が前記アクセサリに設けられた複数の凹部のそれぞれに挿入された第１の状態と、前記マウント装置の複数の爪部と前記アクセサリの前記複数の爪部とがそれぞれ前記第２のマウントの中心軸方向において係合した第２の状態とに遷移でき、
前記第２のマウントの周方向において、前記第１の爪部の角度範囲は、前記アクセサリの前記複数の凹部のうち、当該第１の爪部を挿入可能な凹部の角度範囲よりも小さいことを特徴とする請求項１乃至１０の何れか１項に記載のマウント装置。
【請求項１２】
撮像素子を備え、
前記第２のマウントは、前記アクセサリとして交換レンズに設けられた前記第１のマウントを結合できることを特徴とする請求項１乃至１１の何れか１項に記載のマウント装置。
【請求項１３】
前記第２のマウントの中心軸方向において、前記第２のマウントとは反対側に設けられ、撮像装置に設けられた第４のマウントと結合可能な第３のマウントを有し、
前記第２のマウントは、前記アクセサリとして交換レンズに設けられた前記第１のマウントを結合できることを特徴とする請求項１乃至１１のいずれか１項に記載のマウント装置。
【請求項１４】
第１のマウントを備えるマウント装置に装着可能アクセサリであって、
第２のマウントと、
前記マウント装置に設けられた複数の爪部のうちの前記第１のマウントの周方向における角度範囲が最も大きい第４の爪部に対して係合が可能な、第１の爪部と、
前記第２のマウントの中心軸方向において、前記マウント装置の前記第４の爪部を挿入可能な第１の凹部と、
前記マウント装置に設けられた前記複数の爪部と前記アクセサリに設けられた前記第１の爪部の相対的な回転を規制する第１の規制手段と、
を有し、
前記第２のマウントの中心軸方向から前記第２のマウントを見て、前記第１の規制手段と前記第２のマウントの中心を通る線を第１のマウント中心線とし、前記第２のマウントの中心を通り前記第１のマウント中心線と直交する線を第２のマウント中心線とし、
前記第１の爪部は、前記マウント装置に前記アクセサリが装着された状態で、前記第２のマウントの中心軸方向で前記マウント装置の前記第４の爪部と係合し、
前記第２のマウントの中心軸方向から前記第２のマウントを見て、前記第１の凹部は、前記第２のマウント中心線上に位置せず、
前記第２のマウントの中心軸方向から前記第２のマウントを見て、前記アクセサリが前記マウント装置に装着された状態の前記マウント装置の正位置において、前記第１の爪部は、前記第１のマウント中心線に対して重力方向とは反対側に位置し、前記第４の爪部は、前記第２のマウント中心線上に位置することを特徴とするアクセサリ。
【請求項１５】
前記アクセサリは、第２の凹部および第３の凹部と、を含み、
前記アクセサリの前記第１の凹部、前記第２の凹部、前記第３の凹部は、前記第２のマウントの周方向に沿って配されており、
前記第２のマウントの周方向において、前記第１の凹部の角度範囲は、前記第２の凹部と前記第３の凹部の角度範囲よりも大きく、
前記第２のマウントの中心軸方向から前記第２のマウントを見て、前記第２のマウント中心線上に前記アクセサリの何れの凹部も位置しないことを特徴とする請求項１４に記載のアクセサリ。
【請求項１６】
前記第２のマウントの周方向における前記第１の凹部の角度範囲は、前記第２の凹部および前記第３の凹部の角度範囲の総和以上であることを特徴とする請求項１５に記載のアクセサリ。
【請求項１７】
第２の爪部および第３の爪部を更に備え、
前記第１の爪部、前記第２の爪部、前記第３の爪部は、前記第２のマウントの周方向に沿って配されており、
前記第２のマウントの中心軸方向から前記第２のマウントを見た場合に、前記第１の爪部は前記第２のマウント中心線上に位置することを特徴とする請求項１５又は１６に記載のアクセサリ。
【請求項１８】
前記第２のマウントの中心軸方向から前記第２のマウントを見て、前記第３の爪部は、前記第２のマウント中心線上に位置することを特徴とする請求項１７に記載のアクセサリ。
【請求項１９】
前記第２のマウントの中心軸方向から前記第２のマウントを見て、前記第２の爪部は、前記第１のマウント中心線上に位置することを特徴とする請求項１８に記載のアクセサリ。
【請求項２０】
前記マウント装置に前記アクセサリが装着された状態で、前記第１の規制手段は、前記マウント装置に設けられた第２の規制手段と係合することで、前記マウント装置の前記複数の爪部と前記アクセサリに設けられた複数の爪部との前記第２のマウントの周方向における相対的な回転を規制し、
前記第１の規制手段が前記第２の規制手段と係合した状態で、前記第２のマウントの中心軸方向において、前記マウント装置の前記複数の爪部のうちの対応する爪部に前記アクセサリの前記複数の爪部のそれぞれが係合することを特徴とする請求項１７乃至１９の何れか１項に記載のアクセサリ。
【請求項２１】
前記第１の規制手段は、前記マウント装置に設けられた前記第２の規制手段と嵌合する凹部であることを特徴とする請求項２０に記載のアクセサリ。
【請求項２２】
前記アクセサリは、前記第２の凹部に、前記マウント装置に設けられた第５の爪部を挿入可能であって、前記第３の凹部に、前記マウント装置に設けられた第６の爪部を挿入可能であることを特徴とする請求項１７乃至２０の何れか１項に記載のアクセサリ。
【請求項２３】
前記アクセサリは、前記マウント装置の前記複数の爪部が前記アクセサリの前記複数の凹部にそれぞれ挿入された第１の状態と、前記アクセサリの前記複数の爪部と前記マウント装置の前記複数の爪部とがそれぞれ前記第２のマウント中心軸方向において係合した第２の状態とに遷移できることを特徴とする請求項２２に記載のアクセサリ。
【請求項２４】
前記第２のマウントの周方向において、前記第１の凹部の角度範囲は、前記第２の凹部および前記第３の凹部の角度範囲の１．５倍以上大きいことを特徴とする請求項１５乃至２３の何れか１項に記載のアクセサリ。
【請求項２５】
前記アクセサリは、前記マウント装置として撮像装置に設けられた前記第１のマウントと結合できる前記第２のマウントを備えた交換レンズであることを特徴とする請求項１４乃至２４の何れか１項に記載のアクセサリ。
【請求項２６】
前記アクセサリは、前記第２のマウントの中心軸方向において、前記第２のマウントとは反対側に設けられ、交換レンズに設けられた第４のマウントと結合可能な第３のマウントを備えたアダプタ装置であって、
前記第２のマウントは、前記マウント装置として撮像装置に設けられた前記第１のマウントと結合できることを特徴とする請求項１４乃至２４の何れか１項に記載のアクセサリ。
【手続補正２】
【補正対象書類名】明細書
【補正対象項目名】発明の名称
【補正方法】変更
【補正の内容】
【発明の名称】マウント装置およびアクセサリ
【手続補正３】
【補正対象書類名】明細書
【補正対象項目名】０００１
【補正方法】変更
【補正の内容】
【０００１】
本発明は、マウント装置およびアクセサリに関する。
【手続補正４】
【補正対象書類名】明細書
【補正対象項目名】０００３
【補正方法】変更
【補正の内容】
【０００３】
また、カメラに対するアクセサリの装着（結合）は、例えば、特許文献１に開示されているように、カメラおよびアクセサリ双方のマウントを相対回転させて、それぞれに設けられたバヨネット爪を互いに係合させる所謂バヨネット結合方式を採用したマウントシステムが知られている。
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】削除
【補正の内容】
【手続補正９】
【補正対象書類名】明細書
【補正対象項目名】０００９
【補正方法】変更
【補正の内容】
【０００９】
一般的に、撮像装置に交換レンズ（アクセサリ）を装着した場合、両者の寸法公差により、光軸と直交する方向において、撮像装置と交換レンズとの間に隙間が生じるため、当該隙間に起因して、撮像装置に対する交換レンズのガタつきが大きくなる。また、交換レンズの自重により、撮像装置に対して交換レンズは、重力方向へのガタつき（たわみ）が大きくなる。
しかしながら、特許文献１では、上述したような、撮像装置にアクセサリを装着する際のガタつきを低減するための構成については何ら言及されていない。したがって、当該ガタつきが大きい場合に被写体を撮像すると、撮像装置の光軸とアクセサリの光軸のずれに起因して、ユーザが意図しない不自然な画像が取得されてしまう虞がある。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
本発明の目的は、アクセサリを装着する際のガタつきにより、ユーザが意図しない画像が取得されることを防止することである。
【手続補正１３】
【補正対象書類名】明細書
【補正対象項目名】００１３
【補正方法】変更
【補正の内容】
【００１３】
上記目的を達成するために、本発明のマウント装置は、第１のマウントを備えるアクセサリを着脱可能なマウント装置であって、第２のマウントと、前記第２のマウントの中心軸方向において、前記アクセサリに設けられた複数の爪部と係合が可能な複数の爪部と、前記アクセサリに設けられた前記複数の爪部と前記マウント装置に設けられた複数の爪部の相対的な回転を規制する第１の規制手段と、を有し、前記複数の爪部は、前記第２のマウントの周方向に配された、第１の爪部、第２の爪部、第３の爪部を含み、前記第２のマウントの周方向における前記第１の爪部の角度範囲は、前記第２の爪部および前記第３の爪部よりも小さく、前記第２のマウントの中心軸方向から前記第２のマウントを見て、前記第１の規制手段と前記第２のマウントの中心を通る線を第１のマウント中心線とし、前記第２のマウントの中心を通り前記第１のマウント中心線と直交する線を第２のマウント中心線とし、前記マウント装置の正位置において、前記第２のマウントの中心軸方向から前記第２のマウントを見て、前記第１の爪部は、前記第１のマウント中心線に対して、重力方向とは反対側の第１の側に配され、重力方向が含まれる第２の側には配されておらず、前記第２の爪および前記第３の爪のうちの一方が、前記第２のマウント中心線に対して前記第１の規制手段とは反対側において、前記第１のマウント中心線上に位置することを特徴とする。
【手続補正１４】
【補正対象書類名】明細書
【補正対象項目名】００１４
【補正方法】変更
【補正の内容】
【００１４】
本発明によれば、ユーザが意図しない画像が取得されることを防止することができる。